(57)【要約】【課題】カメラを搭載してもディスプレイのフレームの幅を狭くできるとともに、ユーザの意図しない撮影を抑制できるディスプレイ装置を提供する。【解決手段】本ディスプレイ装置は、表示部と、レール部材と、撮影ユニットと、を備える。レール部材は表示部の背面に設けられる。撮影ユニットは、レール部材と係合して配置される。撮影ユニットが備えるレンズは、撮影ユニットがレール部材の一端に移動した第１状態ではレンズが表示部の外側に露出し、撮影ユニットがレール部材の他端に移動した第２状態ではレンズが表示部の背面と重なる位置に設けられる。【選択図】図３
2018049046.tif 000002
【特許請求の範囲】
【請求項１】
表示部と、
前記表示部の背面に設けられるレール部材と、
前記レール部材と係合して配置される撮影ユニットと、を備え、
前記撮影ユニットが備えるレンズは、前記撮影ユニットが前記レール部材の一端に移動した第１状態では前記レンズが前記表示部の外側に露出し、前記撮影ユニットが前記レール部材の他端に移動した第２状態では前記レンズが前記表示部の背面と重なる位置に設けられる、
ディスプレイ装置。
【請求項２】
前記レンズの光軸は俯角となっている、
請求項１に記載のディスプレイ装置。
【請求項３】
前記レール部材の前記他端は、前記第２状態における前記撮影ユニットが前記表示部から突出しない位置に設けられる、
請求項１または２に記載のディスプレイ装置。
【請求項４】
前記撮影ユニットが前記第２状態であることを検出する検出手段を更に備え、
前記検出手段によって前記撮影ユニットが前記第２状態であることを検出したときに、前記ディスプレイ装置は前記撮影ユニットへの電力の供給を停止する、
請求項１から３のいずれか一項に記載のディスプレイ装置。
【発明の詳細な説明】
【技術分野】
【０００１】
本発明は、ディスプレイ装置に関する。
【背景技術】
【０００２】
カメラを備えたディスプレイ装置が利用されている。
【先行技術文献】
【特許文献】
【０００３】
【特許文献１】特開２０００−１９４４５０号公報
【特許文献２】特開２０１４−００６９３２号公報
【発明の概要】
【発明が解決しようとする課題】
【０００４】
カメラをディスプレイ装置のフレーム内に配置すると、カメラを収納するスペースの分だけフレームの幅が広くなる。そのため、フレームの幅を狭くしたデザインを採用する事が難しくなる。また、カメラをフレーム内に配置した場合、撮影を行わない場合でもレンズが露出する。そのため、誤操作等により、ユーザの意図しない撮影が行われる虞がある。
【０００５】
そこで、開示の技術の１つの側面は、カメラを搭載してもディスプレイ装置のフレームの幅を狭くできるとともに、ユーザの意図しない撮影を抑制できるディスプレイ装置を提供することを課題とする。
【課題を解決するための手段】
【０００６】
開示の技術の１つの側面は、次のようなディスプレイ装置によって例示される。本ディスプレイ装置は、表示部と、レール部材と、撮影ユニットと、を備える。レール部材は表示部の背面に設けられる。撮影ユニットは、レール部材と係合して配置される。撮影ユニットが備えるレンズは、撮影ユニットがレール部材の一端に移動した第１状態ではレンズが表示部の外側に露出し、撮影ユニットがレール部材の他端に移動した第２状態ではレンズが表示部の背面と重なる位置に設けられる。
【発明の効果】
【０００７】
本ディスプレイ装置は、カメラを搭載してもディスプレイのフレームの幅を狭くできるとともに、ユーザの意図しない撮影を抑制できる。
【図面の簡単な説明】
【０００８】
【図１】図１は、実施形態に係るデスクトップパソコンを背面から見た図の一例である。
【図２】図２は、実施形態に係るデスクトップパソコンを正面から見た図の一例である。
【図３】図３は、カメラユニットを引き出した状態のデスクトップパソコンを背面から見た図の一例である。
【図４】図４は、カメラユニットを引き出した状態のデスクトップパソコンを正面から見た図の一例である。
【図５】図５は、カメラユニットの分解斜視図の一例である。
【図６】図６は、カメラモジュールをフロントカバー上に配置した状態の一例を示す図である。
【図７】図７は、ディスプレイ部の上部を側方から見た図の一例である。
【図８】図８は、ロック部品とロック解除部品を配置した状態を平面視した図の一例である。
【図９】図９は、カメラユニットを正面から見た図の一例である。
【図１０】図１０は、フロントカバー、カメラモジュール、ロック部品およびロック解除部品を固定部カバー上に配置した状態を例示する平面図である。
【図１１】図１１は、比較例に係るデスクトップパソコンの一例を示す図である。
【図１２】図１２は、凹部に機械式スイッチを設けたデスクトップパソコンの一例を示す図である。
【発明を実施するための形態】
【０００９】
以下、図面を参照して、一実施形態に係るデスクトップパソコンについて説明する。以下に示す実施形態の構成は例示であり、開示の技術は実施形態の構成に限定されない。
【００１０】
＜実施形態＞
実施形態では、ディスプレイ部の背面にカメラユニットが設けられたデスクトップパソコンが例示される。図１および図２は、実施形態に係るデスクトップパソコン１の一例を示す図である。図１はデスクトップパソコン１を背面から見た図の一例である。図２は、デスクトップパソコン１を正面から見た図の一例である。デスクトップパソコン１は、ディスプレイ部２０および本体部３０を備える。ディスプレイ部２０の背面上部には、カメラユニット４０が搭載されている。カメラユニット４０は、上下方向に摺動可能に設けられる。カメラユニット４０は、上方向に引き出された位置および下方向に収納された位置において、上下方向への摺動を抑制するロックがかけられる。カメラユニット４０は、例えば、上方向に引き出された状態でロックされることで、安定した状態で撮影可能となる。当該ロックは、ロック解除ボタン４６ａを押下することで解除可能である。カメラユニット４０は、使用するときは、上方向に引き出される。また、カメラユニット４０は、使用しないときは、ディスプレイ部２０の背面に収納される。カメラユニット４０は、収納されるとディスプレイ部２０から突出しない。図１および図２では、カメラユニット４０が収納された状態が例示される。デスクトップパソコン１は、「ディスプレイ装置」の一例である。カメラユニット４０が収納された状態は、「第２状態」の一例である。
【００１１】
本体部３０は、プロセッサ、メモリ、ハードディスクドライブ（ＨＤＤ）、スピーカーおよび電源ユニットを備える。本体部３０は、メモリ上に実行可能に展開されたプログラムをプロセッサが実行することで各種の情報処理を行う。本体部３０は、例えば、情報処理の結果をディスプレイ部２０の表示部２０ｂに出力する。また、デスクトップパソコン１は、本体部３０が備える電源ユニットによって、例えば、カメラユニット４０に電力を供給する。
【００１２】
ディスプレイ部２０は、表示部２０ｂと表示部２０ｂを囲む枠体であるフレーム部２０ａとを備える。ディスプレイ部２０は、本体部３０から出力される各種情報を表示部２０ｂに出力する。ディスプレイ部２０の背面上部であって幅方向における略中央の箇所には、凹部２０ｃが設けられる。凹部２０ｃは、カメラユニット４０を収納可能な大きさに形成される。凹部２０ｃには、カメラユニット４０が設けられる。凹部２０ｃに収納されたカメラユニット４０の天面４０ａの高さとディスプレイ部２０のフレーム部２０ａの高さとは略一致する。そのため、図２に例示されるように、カメラユニット４０が収納されると、正面方向からはカメラユニット４０が見えないようになっている。ディスプレイ部２０は、「表示部」の一例である。
【００１３】
カメラユニット４０は、静止画および動画を撮影可能なユニットである。撮影された静止画または動画は、例えば、本体部３０のＨＤＤに保存される。カメラユニット４０は、
上方向に引き出されることで撮影可能な状態となる。図３は、カメラユニット４０を引き出した状態のデスクトップパソコン１を背面から見た図の一例である。図４は、カメラユニット４０を引き出した状態のデスクトップパソコン１を正面から見た図の一例である。図３では、図１の領域Ａに相当する範囲が例示されている。カメラユニット４０が引き出されると、カメラユニット４０のレンズ４１はデスクトップパソコン１のユーザの方向に向けられる。カメラユニット４０が引き出された状態は、「第１状態」の一例である。
【００１４】
図５は、カメラユニット４０の分解斜視図の一例である。カメラユニット４０は、固定部カバー４２によってディスプレイ装置２０の背面に取り付けられる。カメラユニット４０は、フロントカバー４３、カメラモジュール４４、ロック部品４５、ロック解除部品４６、ホールド部品４７およびリアカバー４８を含む。カメラモジュール４４、ロック部品４５、ロック解除部品４６およびホールド部品４７の各部品がフロントカバー４３およびリアカバー４８によって挟持されてカメラユニット４０となる。リアカバー４８は、カメラユニット４０の外装ということもできる。カメラユニット４０は、「撮影ユニット」の一例である。
【００１５】
固定部カバー４２は、ディスプレイ部２０の背面に設けられた凹部２０ｃに固定される。固定部カバー４２は、複数のねじ穴４２ａ、ばね上端取り付け部４２ｂおよびロック孔部４２ｃを備える。固定部カバー４２は、例えば、ねじ穴４２ａに螺合されたネジによってディスプレイ部２０の凹部２０ｃに固定される。ロック孔部４２ｃは、固定部カバー４２の底面において左右に一つずつ設けられる。ロック孔部４２ｃは、図５では形状を簡略化して記載しているが、略コの字形状に形成されている。
【００１６】
フロントカバー４３は、固定部カバー４２上に載置される。フロントカバー４３は、カメラ孔部４３ａ、ガイド孔部４３ｂ、ばね孔部４３ｃ、ばね下端取り付け部４３ｄおよびロック部品孔部４３ｅを備える。カメラ孔部４３ａは、フロントカバー４３上に載置されるカメラモジュールが備えるレンズ４１およびマイクと平面視において重なるような位置に設けられる。ガイド孔部４３ｂは、フロントカバー４３の底面において左右に一つずつ設けられる。ガイド孔部４３ｂは、フロントカバー４３の上下方向に長い長方形の孔である。フロントカバー４３は、例えば、ガイド孔部４３ｂを介して固定部カバー４２と螺合されたネジをガイドとして上下方向に摺動可能である。ばね孔部４３ｃは、フロントカバー４３の底面において左右に一つずつ設けられる。ばね孔部４３ｃは、フロントカバー４３の上下方向に長い長方形状の孔である。ばね下端取り付け部４３ｄは、上端が固定部カバー４２のばね上端取り付け部４２ｂに取り付けられたコイルばねの下端が取り付けられる。ロック部品孔部４３ｅは、フロントカバー４３の幅方向に長い長方形状に形成されている。
【００１７】
カメラモジュール４４は、レンズ４１、イメージセンサーおよびマイクを備えたモジュールである。イメージセンサーは、例えば、Charge Coupled Device（CCD）イメージセンサーまたはComplementary Metal Oxide Semiconductor（CMOS）イメージセンサーである
。カメラモジュール４４のレンズ４１は、図５において、フロントカバー４３のカメラ孔部４３ａの方向に向けられている。カメラモジュール４４は、レンズ４１を透過した光をイメージセンサーで処理することで被写体を撮影する。また、カメラモジュール４４は、マイクを介して音声を録音する事も可能である。
【００１８】
図６は、カメラモジュール４４をフロントカバー４３上に配置した状態の一例を示す図である。カメラモジュール４４は、フロントカバー４３の上部に取り付けられる。カメラモジュール４４は、カメラモジュール４４が備えるレンズ４１やマイクの位置が平面視でフロントカバー４３のカメラ孔部４３ａの位置と一致するように取り付けられる。また、カメラモジュール４４は、上端部の方が下端部よりもフロントカバー４３側に傾斜して設
けられる。
【００１９】
図７は、ディスプレイ部２０の上部を側方から見た図の一例である。図７では、ディスプレイ部２０の上部に設けられたカメラユニット４０が上方向に引き出されている。図７では、カメラユニット４０内に設けられたカメラモジュール４４が点線で示されている。カメラモジュール４４の上端部がカメラモジュール４４の下端部よりもディスプレイ部２０側に傾斜して設けられることで、レンズ４１の光軸は俯角となる。レンズ４１の光軸が俯角となることで、レンズ４１は、例えば、被写体となるデスクトップパソコン１のユーザに対して正対できる。また、カメラユニット４０を上方に引き出した際におけるフレーム部２０ａからレンズ４１の高さｈは、フレーム部２０ａの厚さやレンズ４１の画角θ等に基づいて、撮影時にフレーム部２０ａが映り込まないように適宜決定されればよい。
【００２０】
図５に戻り、ロック部品４５は、カメラユニット４０を上方向に引き出した状態および下方向に収納した状態で固定する部材である。ロック部品４５は、一対のロック突起４５ａおよびバネ軸４５ｂを有する。ロック突起４５ａは、ロック部品４５のリアカバー４８側の面からフロントカバー４３側に突出する突起である。ロック突起４５ａは、フロントカバー４３のロック部品孔部４３ｅを介して固定部カバー４２に設けられたロック孔部４２ｃに嵌合する。ロック突起４５ａがロック孔部４２ｃに嵌合することで、カメラユニット４０は上方向に引き出した状態および下方向に収納した状態で固定される。ロック部品４５は、さらに、フロントカバー４３側の面に傾斜部を有する。バネ軸４５ｂおよび傾斜部の詳細については後述する。
【００２１】
ロック解除部品４６は、ロック部品４５によるカメラユニット４０の上下方向への移動の規制を解除する部材である。ロック解除部品４６は、ロック解除ボタン４６ａとロック解除斜面部を有する。ロック解除斜面部は、ロック部品４５の傾斜部と接するように形成された面である。図８は、ロック部品４５とロック解除部品４６を配置した状態を平面視した図の一例である。図８に例示されるように、ロック部品４５の傾斜部４５ｂとロック解除斜面部４６ｂとは、略平行に形成される。ユーザ等によりロック解除ボタン４６ａが上方向に押圧されると、ロック解除部品４６が上方向に移動する。ロック解除部品４６が上方向に移動すると、ロック解除部品４６のロック解除斜面部４６ｂとロック部品４５の傾斜部４５ｂとが接触しながら、図８に向かって左方向にロック部品４５が移動する。すなわち、ロック解除部品４６の上方向への移動が、ロック解除部品４６のロック解除斜面部４６ｂとロック部品４５の傾斜部４５ｂとによって、ロック部品４５の横方向への移動に変換される。
【００２２】
図９は、カメラユニット４０を正面から見た図の一例である。図９に例示されるように、固定部カバー４２のロック孔部４２ｃは、その上下端に形成された切欠き部４２ｄを含む略コの字形状に形成されている。図９では、ロック部品４５のロック突起４５ａがロック孔部４２ｃの下側の切欠き部４２ｄに嵌合している。ロック突起４５ａが切欠き部４２ｄに嵌合することで、カメラユニット４０のカメラユニット４０は上下方向への移動が規制される。ここで、ロック解除部品４６が上方向に移動することによりロック部品４５が図９に向かって右方向に移動する。ロック部品４５が図９に向かって右方向に移動すると、ロック突起４５ａが切欠き部４２ｄから外れる。ロック突起４５ａが切欠き部４２ｄから外れると、ロック部品４５によるカメラユニット４０の規制が解除され、カメラユニット４０は上下方向に摺動可能となる。規制が解除されたカメラユニット４０が上方向に引き上げられると、ロック突起４５ａは、ロック孔部４２ｃに沿って移動する。ロック突起４５ａがロック孔部４２ｃの上端に到達すると、ロック突起４５ａは上側の切欠き部４２ｄに嵌合する。ロック突起４５ａが上側の切欠き部４２ｄに嵌合することで、カメラユニット４０は上下方向への移動が規制される。上方向に移動された状態で上下方向への移動が規制されることで、カメラユニット４０は撮影可能な状態を維持できる。ロック孔部４
２ｃを有する固定部カバー４２は、「レール部材」の一例である。
【００２３】
図１０は、フロントカバー４３、カメラモジュール４４、ロック部品４５およびロック解除部品４６を固定部カバー４２上に配置した状態を例示する平面図である。図１０では、固定部カバー４２のばね上端取り付け部４２ｂにコイルばね４３ｆの上端が取り付けられている。カメラユニット４０を使用する際には、コイルばね４３ｆの下端はフロントカバー４３のばね下端取り付け部４３ｄに取り付けられる。上方向に引き出されたカメラユニット４０はコイルばね４３ｆの弾性力によって下方向に付勢される。そのため、上方向に引き出されたカメラユニット４０を容易に収納できる。また、ロック部品４５のバネ軸４５ｂにもコイルばねが設けられている。バネ軸４５ｂに設けられたコイルばねの両端は、フロントカバー４３に設けられたロック部品孔部４３ｅの端部とバネ軸４５ｂの根元によって支持される。そのため、ロック部品４５がロックを解除する方向（図１０に向かって左方向）に移動すると、ロック部品４５はバネ軸４５ｂに設けられたコイルばねの弾性力によって図１０に向かって右方向に付勢される。カメラユニット４０が上下何れかに移動が完了すると、バネ軸４５ｂに設けられたコイルばねの弾性力によってロック部品４５が移動し、ロック部品４５のロック突起が切欠き部４２ｄに嵌合する。
【００２４】
図５に戻り、ホールド部品４７は、カメラモジュール４４、ロック部品４５およびロック解除部品４６をフロントカバー４３と協働して挟持する。ホールド部品４７は、略コの字形状に形成される。ホールド部品４７におけるコの字形状の内側の領域は、ロック解除ボタン４６ａが可動する領域を提供する。リアカバー４８は、上述の通り、カメラモジュール４４、ロック部品４５、ロック解除部品４６およびホールド部品４７の各部品をフロントカバー４３と協働して挟持する。リアカバー４８には、ロック解除ボタン孔部４８ａが設けられる。ロック解除ボタン４６ａは、ロック解除ボタン孔部４８ａを介して外部に露出する。デスクトップパソコン１のユーザは、ロック解除ボタン孔部４８ａから露出したロック解除ボタン４６ａを押すことができる。
【００２５】
ここで、実施形態の効果について検討するため、比較例について説明する。図１１は、比較例に係るデスクトップパソコン１ａの一例を示す図である。比較例において実施形態と同一の構成要素については同一の符号を付し、その説明を省略する。比較例に係るデスクトップパソコン１ａでは、カメラユニット４００はディスプレイ部２００のフレーム部２００ａ内に収納されている。そのため、フレーム部２００ａには、カメラユニット４００を収納できるだけの幅が設けられている。そのため、実施形態に係るデスクトップパソコン１のフレーム部２０ａと比較すると、比較例に係るデスクトップパソコン１ａのフレーム部２００ａの幅を狭くすることは難しい。
【００２６】
実施形態では、カメラユニット４０をフレーム部２０ａ内ではなく、ディスプレイ部２０の背面の凹部２０ｃに設置した。そのため、実施形態に係るデスクトップパソコン１のフレーム部２０ａは、カメラユニット４０を設ける幅を確保しなくともよい。そのため、実施形態に係るデスクトップパソコン１は、フレーム部２０ａを比較例に係るデスクトップパソコン１ａよりも狭くすることができる。
【００２７】
カメラユニット４０は、凹部２０ｃに収納されると、正面視で視認できない位置に配置される。すなわち、カメラユニット４０は、凹部２０ｃに収納されると、ディスプレイ部２０から突出しない。そのため、実施形態に係るデスクトップパソコン１では、カメラユニット４０によってデスクトップパソコン１の美観を損なう事を抑制できる。
【００２８】
実施形態に係るカメラユニット４０は、デスクトップパソコン１の凹部２０ｃに収納されると、カメラモジュール４４のレンズ４１が外部に露出しない。そのため、レンズ４１に汚れが付着する事を抑制できる。また、レンズ４１が外部に露出しないことで、例えば
、デスクトップパソコン１がマルウェア等に感染した場合やユーザの誤操作等の場合に、ユーザの意図に反した撮影が抑制される。
【００２９】
実施形態に係るカメラユニット４０は、撮影時にカメラモジュール４４が備えるレンズ４１の光軸が俯角をとるように設けられた。そのため、実施形態に係るデスクトップパソコン１では、カメラモジュール４４のレンズ４１がデスクトップパソコン１のユーザと容易に正対できる。
【００３０】
実施形態では、カメラユニット搭載ディスプレイ装置の一例として、デスクトップパソコン１が例示された。しかしながら、以上で説明したカメラユニット４０を搭載可能なディスプレイ装置はデスクトップパソコン１に限定されない。カメラユニット４０は、例えば、パーソナルコンピュータ用のディスプレイ装置に搭載されてもよい。また、カメラユニット４０は、例えば、デジタルテレビに搭載されてもよい。
【００３１】
デスクトップパソコン１は、カメラユニット４０が凹部２０ｃに収納されたことを検出する検出手段を備えてもよい。検出手段としては、カメラユニット４０の凹部２０ｃへの収納を検出できるものであれば、様々な公知の手段を採用可能である。検出手段として、例えば、近接センサー、機械式スイッチ、接点スイッチ等が例示できる。図１２は、凹部２０ｃに機械式スイッチ２０ｄを設けたデスクトップパソコン１の一例を示す図である。図１２は図３と同一の方向からデスクトップパソコン１を見た図となっている。カメラユニット４０が凹部２０ｃに収納されると、カメラユニット４０は機械式スイッチ２０ｄを押下する。デスクトップパソコン１は、機械式スイッチ２０ｄが押下されることで、カメラユニット４０が凹部２０ｃに収納されたことを検出できる。デスクトップパソコン１は、カメラユニット４０が凹部２０ｃに収納されたことを検出すると、カメラユニット４０への給電を停止してもよい。カメラユニット４０への給電が停止されることで、デスクトップパソコン１の消費電力を抑制できる。また、カメラユニット４０への給電が停止されることで、ユーザの意図に反してカメラユニット４０による撮影や録音が抑制される。
【００３２】
実施形態では、コイルばね４３ｆは、カメラユニット４０を下方向に付勢するように設けられた。しかしながら、コイルばね４３ｆは、例えば、カメラユニット４０を上方向に付勢するように設けてもよい。カメラユニット４０を上方向に付勢するようにコイルばね４３ｆが設けられることで、例えば、ロック解除ボタン４６ａを押し上げたときに容易にカメラユニット４０を上方向に摺動させることができる。
【００３３】
実施形態では、カメラユニット４０は、ディスプレイ部２０の背面上部に設けられた。しかしながら、カメラユニット４０が設けられる位置は、ディスプレイ部２０の背面上部に限定されない。カメラユニット４０は、ディスプレイ部２０の背面であって、撮影時にはレンズ４１が露出し、収納時にはディスプレイ部２０の背面とレンズ４１とが重なる位置であれば、どのような位置に設けられてもよい。カメラユニット４０は、例えば、ディスプレイ部２０の左右いずれかの背面に設けられてもよい。
【符号の説明】
【００３４】
１、１ａ・・・デスクトップパソコン
２０・・・ディスプレイ部
２０ａ、２００ａ・・・フレーム部
２０ｂ・・・表示部
２０ｃ・・・凹部
３０・・・本体部
４０、４００・・・カメラユニット
４１・・・レンズ
４２・・・固定部カバー
４２ａ・・・ねじ穴
４２ｂ・・・ばね上端取り付け部
４２ｃ・・・ロック孔部
４３・・・フロントカバー
４３ａ・・・カメラ孔部
４３ｂ・・・ガイド孔部
４３ｃ・・・ばね孔部
４３ｄ・・・ばね下端取り付け部
４３ｅ・・・ロック部品孔部
４３ｆ・・・コイルばね
４４・・・カメラモジュール
４５・・・ロック部品
４５ａ・・・ロック突起
４５ｂ・・・傾斜部
４６・・・ロック解除部品
４６ａ・・・ロック解除ボタン
４６ｂ・・・ロック解除斜面部
４７・・・ホールド部品
４８・・・リアカバー
【図１】
2018049046.tif 000003
【図２】
2018049046.tif 000004
【図３】
2018049046.tif 000005
【図４】
2018049046.tif 000006
【図５】
2018049046.tif 000007
【図６】
2018049046.tif 000008
【図７】
2018049046.tif 000009
【図８】
2018049046.tif 000010
【図９】
2018049046.tif 000011
【図１０】
2018049046.tif 000012
【図１１】
2018049046.tif 000013
【図１２】
2018049046.tif 000014